(57)【要約】【課題】撤去予定の引込線が繋がる端子盤の配線を作業員単独で確認できるようにする。【解決手段】両極となるそれぞれ１つ以上の端子１２ａ，１２ｂと、両極端子１２ａ，１２ｂ間に電流が流れた際に音声を発するスピーカ１４と、スピーカ１４の音声を入力可能な位置に、自動着信できる携帯電話機１６を固定可能である携帯電話機固定部１５と、を有する心線対照器１１を用いる。端子盤３１の撤去候補である端子を心線対照器１１の端子１２ａ，１２ｂに接続しておき、携帯電話機固定部１５に備えた携帯電話機１６を自動着信モードにしておく。撤去予定の引込線２５を現場で短絡する際に、現場から携帯電話機１６に電話をかけ、スピーカ１４からの音声を確認する。【選択図】図１
2020088886.tif 000002
【特許請求の範囲】
【請求項１】
両極となるそれぞれ１つ以上の端子と、
前記両極端子間に電流が流れた際に音声を発するスピーカと、
前記スピーカの音声を入力可能な位置に、自動着信できる携帯電話機を固定可能である携帯電話機固定部と、
を有する心線対照器。
【請求項２】
複数の家屋に引き込まれた引込線に繋がる端子盤のうち、確認予定の引込線に繋がると想定される端子盤端子と、請求項１に記載の心線対照器の前記端子とを接続し、
かつ、前記携帯電話機固定部に前記携帯電話機を自動着信できる状態で固定しておく、
事前準備のステップと、
前記携帯電話機に電話を掛けながら、前記確認予定の引込線をショートさせ、前記携帯電話機を通じて前記スピーカの音声を確認する実態確認のステップと、
を実行する心線対照確認方法。
【発明の詳細な説明】
【技術分野】
【０００１】
この発明は、電柱から各家屋へ配されている引込線の撤去作業に関する。
【背景技術】
【０００２】
生活環境や住宅事情の変化に伴い、全国的に空き家が増加している。人が住まなくなった空き家は、従来は次の入居者が利用することを想定して電話線などのインフラを残すことが一般的であった。しかし、恒常的に人が住まなくなる空き家の増加が無視できなくなると、それらのインフラの撤去が必要となってくる。
【０００３】
また、光ファイバー網の発達に伴い、電話線が担ってきた役割を光ファイバーによるＩＰ電話が担う家屋も増加している。このため、空き家でなくても従来のメタル線は不要で撤去したいという需要も増えてきている。
【０００４】
電柱から各家屋へ配されている引込線は道路を跨いでいることも多く、そのまま残しておくと垂れ下がって事故の原因になる可能性が無視できない（非特許文献１）。そこで、引込線が不要になった家屋に通じている線を順次撤去することになる。
【０００５】
この撤去作業は現場で引込線を物理的に除去するだけでは終わらない。その引込線に通じてサービスを提供するインフラ業者は、各々の引込線へ通じる端子盤を有しており、その端子盤での作業も必要になる。しかし、設置から長い年数が経っていることもあり、古い時代に設定された配線ほど、端子盤のどの配線がどの家屋の引込線に対応しているかが、確実な情報として記録されていない場合がある。
【先行技術文献】
【非特許文献】
【０００６】
【非特許文献１】“ＮＴＴ設備に関する不安全状況のご投稿”、[online]、NTT西日本、[平成３０年１０月２５日検索]、インターネット<URL:https://www.setsubi-info.ntt-w.net/webFuanzen/select/applySelect/show>
【発明の概要】
【発明が解決しようとする課題】
【０００７】
現状では、端子盤にて本来封鎖すべき配線であるか否かを判別するには、端子盤の前で少なくとも一名の所内専属担当が待機した状態で、各家屋に派遣された作業員が所内専属担当に携帯電話で通話しながら、撤去しようとする引込線の両端をショートさせる。所内専属担当は、電流が流れることでわかるランプの点灯やブザーの発音を確認し、電流が流れたか否かを作業員に口頭で伝える。これにより、間違いなく撤去しようとする家屋の引込線に対応する配線であることを確かめた上で、端子盤の該当部分から撤去、又は変更等を行う。
【０００８】
しかしこの作業にあたっては、前記所内専属担当が常時待機していなければいけない。各家屋に派遣される作業員が各家屋へ移動する時間と配線を取り出すための作業時間とに亘って待たねばならないため、この待ち時間は多大なものになり、効率が悪かった。
【０００９】
そこでこの発明は、所内専属担当が端子盤前で確認作業のために待機しなくても、現場で作業する作業員のみで引込線の確認ができるようにすることを目的とする。
【課題を解決するための手段】
【００１０】
この発明は、
両極となるそれぞれ１つ以上の端子と、
前記両極端子間に電流が流れた際に音声を発するスピーカと、
前記スピーカの音声を入力可能な位置に、自動着信できる携帯電話機を固定可能である携帯電話機固定部と、
を有する心線対照器によって、上記の課題を解決したのである。
【００１１】
手順としては、
複数の家屋に引き込まれた引込線に繋がる端子盤のうち、確認予定の引込線に繋がると想定される端子盤端子と、この発明の心線対照器の前記端子とを接続し、
かつ、前記携帯電話機固定部に前記携帯電話機を自動着信できる状態で固定しておく、
事前準備のステップと、
前記携帯電話機に電話を掛けながら、前記確認予定の引込線の端部をショートさせ、前記携帯電話機を通じて前記スピーカの音声を確認する実態確認のステップと、
を実行する。
【００１２】
ここで、上記携帯電話機は自動着信できる端末であることが必要となる。すなわち、着信があった際には、スイッチやパネルの操作をすることなく通話モードに切り替えできるものである必要がある。実際にはフューチャーフォンでもスマートフォンでもよい。作業開始前に、自動着信するモードに切り替えた上で前記携帯電話機固定部に固定する。
【００１３】
すなわち、撤去する予定の引込線の確認にあたっては、予めこの心線対照器を、多数の各家屋の引込線に繋がる端子盤の近傍に設置する。そして、その日に現場で確認する予定の家屋に繋がっていると想定される端子盤の端子から、心線対照器の両端の端子にそれぞれ接続する。このとき、複数の家屋に繋がる端子盤の端子について、それぞれ並列になるように心線対照器のそれぞれの端子に接続しておいてよい。ここまでが事前準備である。
【００１４】
その上で、作業員は確認の現場となる家屋に到着し、撤去予定の引込線の両端を確認する。その上で、前記心線対照器に固定した携帯電話機に対して、電話網を用いて発呼を行う。発呼された前記携帯電話機は自動着信により、通話モードに切り替えられる。これにより、端子盤前の音声が各家屋にいる作業員に届くようになる。通話状態を続けたままで、作業員は引込線の両端をショートさせる。このとき、ショートさせた引込線が、予め心線対照器の端子に接続しておいた端子盤の端子に繋がっているのであれば、前記スピーカから音声が発せられ、その音声を拾った前記携帯電話機は通話中の作業員の電話にその音声を伝える。これにより、ショートさせた引込線が、予め端子盤で前記心線対照器に接続した端子の一つに繋がることが確認できる。
【発明の効果】
【００１５】
この発明により、各家屋に導入された引込線を撤去するにあたり、当該引込線に接続されたインフラ業者の端子盤における端子がどれであるかを確認する際に、確認のための人員が端子盤を設置した社屋内で待機するまでもなく、作業員単独で確認を進めることができる。これにより、引込線の撤去や確認作業の現場に投入できる人員を増やすことができる。
【図面の簡単な説明】
【００１６】
【図１】この発明にかかる心線対照器の配線図を含む発明実施時の概念図
【図２】（ａ）一の実施形態例にかかる心線対照器の背面写真、（ｂ）（ａ）の平面写真、（ｃ）（ａ）の正面写真、（ｄ）（ａ）の左側面写真、（ｅ）（ａ）の右側面写真
【図３】この発明にかかる心線対照器を端子盤と接続した状態の例を示す写真
【図４】この発明にかかる心線対照確認方法を実施する形態例のフローチャート
【発明を実施するための形態】
【００１７】
以下、この発明について具体的な実施形態とともに詳細に説明する。この発明にかかる心線対照器１１の配線図を含む概念図を図１に示す。まず、心線対照器１１の基本構成について説明する。心線対照器１１は、端子１２ａ，１２ｂと、電源１３と、スピーカ１４と、携帯電話機固定部１５とを有する。
【００１８】
端子１２ａ，１２ｂは、配線において両極となる箇所に、それぞれ一つ以上設けられている。それぞれが並列になるように複数個設けられていてもよい。図１ではそれぞれ４端子設けられているが、端子１２ａのそれぞれ、端子１２ｂのそれぞれは同じ電位となる。それぞれの端子には、端子盤３１に繋がるケーブル３２が接続される。
【００１９】
電源１３は搭載した電池でもよいし、交流の外部電源を変換したものでもよく、特に限定されない。スピーカ１４を鳴らす程度の電流量が供給できるものであれば問題なく用いることができる。
【００２０】
スピーカ１４は、電流が流れることで音声を発することができる装置である。通電を確認するためのものであるため、ブザー音を鳴らすことができるもので問題なく用いることができる。
【００２１】
携帯電話機固定部１５は、携帯電話機１６を固定することができる構成要素である。スピーカ１４が発する音声を携帯電話機１６のマイク部分で拾うことができる位置に設けてある必要がある。固定する方法は特に限定されるものではない。心線対照器１１の筐体に溝や凹みを設けてそこに携帯電話機１６を据えてもよいし、面ファスナーを貼り付けて携帯電話機１６に貼り付けた対になる面ファスナーで貼り付けてもよいし、両面テープその他の粘着テープによって貼り付けてもよい。
【００２２】
携帯電話機１６は、心線対照器１１に含まれないが、心線対照器１１の携帯電話機固定部１５に固定して用いる、自動着信できる端末であることが必要となる。自動着信とは、着信があった際に、スイッチやパネルの操作を人がすることなく通話モードに切り替えできるものである必要がある。実際にはフューチャーフォンでもスマートフォンでもよい。また、移動体通信網に直接接続するものである必要はなく、固定電話やＩＰ電話の子機でもよい。端末固有の機能で自動着信できない場合には、別途ソフトウェアをインストールして自動着信する機能を付与できれば使用できる。
【００２３】
また、心線対照器１１は、回路の安全性を確保するため、スピーカ１４に対して並列に、抵抗１７とダイオード１８とを直列にして接続しておくと望ましい。その他、電源ランプ１９（図２（ｂ）参照）やスイッチなど、電源を有する一般的な機器が有する機能や部位を有していてよい。
【００２４】
このような心線対照器１１の実施形態例を図２に示す。図２（ａ）が背面写真、図２（ｂ）が平面写真、図２（ｃ）が正面写真、図２（ｄ）が左側面写真、図２（ｅ）が右側面写真である。背面には端子１２ａ、端子１２ｂがそれぞれ上下に５つづつ配置されている。上部の５つの端子１２ａと下部の５つの端子１２ｂはそれぞれ等価な電位である。筐体の上部平面にはブザー孔２１が設けられており、その内部にスピーカ１４が備え付けられている。また上部平面にはブザー孔２１に隣接して、面ファスナーを両面テープで貼り付けた携帯電話機固定部１５が設けてある。右側面には電源ジャック２０が設けられてあり、ＡＣ−ＤＣ変換回路を経て電源１３として供給される。
【００２５】
この発明にかかる心線対照器１１を端子盤３１と接続した状態の写真を図３に示す。基本的には端子盤３１はインフラ業者の管理社屋内に設置されたものである場合が多い。端子盤３１に並んだ端子盤端子３３はそれぞれ対になっており、設置された社屋の外へ繋がり、電柱や地下トンネルに設けられた電線を通じて、終端は各家屋の引込線となって各家屋内に繋がっている。ここで、図３の端子盤は固定電話用の端子盤を例に示している。なお、便宜上家屋と呼ぶが、個別ではない団地内の各家庭に該当する一室や事業者の社屋、電話ボックスなども当然に含む。一家屋に２回線以上の引込線が導入されている場合もあり、その場合は個々の回線ごとに端子盤端子３３に繋がっている。以下の説明では実際の作業に向かう目的地の都合上、家屋単位で説明する場合があるが、実際には回線単位で管理される。それぞれの端子盤端子３３を、ケーブル３２で端子１２ａ，１２ｂと接続する。なお、ケーブル３２の両端はクリップなどが接続されていると、取り付け及び取り外しが容易で望ましい。
【００２６】
この発明にかかる心線対照器１１を用いて、引込線撤去作業前の確認を作業員単独で行う確認方法の具体的手順例を、図４のフローチャートとともに説明する。まず（Ｓ１０１）、その日作業員が確認する回線とそれが繋がった家屋の住所とを予めリストアップする（Ｓ１０２）。この作業は前日までに行っておき、長期的な作業計画を立てておいてもよい。当日確認する引込線に繋がる回線のリストを参照して、その回線に繋がっている端子盤３１の端子盤端子３３の対を確認する（Ｓ１０３）。端子盤３１はサービス提供会社の社屋にあるものに限定されず、多数の家屋へ導入される引込線に繋がっているものであれば実用できるが、ここでは電話会社が管理する端子盤３１を例に説明する。この端子盤３１には図３に示すように、多数の家屋の引込線２５に通じている端子盤端子３３の対が多数並べられている。この中から、リストに該当する家屋の引込線２５に繋がる端子盤端子３３の対を、心線対照器１１の端子１２ａ，１２ｂとケーブル３２で接続する（Ｓ１０４）。これを、当日行うリスト全件について行う（Ｓ１０５）。ただし、その日の作業途中で一旦社屋に戻る計画である場合には、その戻る前に行うべき回線の分だけ行っておけばよい。なお、心線対照器１１の端子（１２ａ，１２ｂ）数がリストの件数に比して大幅に少なくても、単純に並列で繋ぐという配線の原則に従うのであれば、多数のケーブル３２を一つの端子（１２ａ，１２ｂ）に接続してもよい。
【００２７】
また、端子盤端子３３との接続作業と前後して、携帯電話機１６を携帯電話機固定部１５に固定する（Ｓ１０６）。固定した上で、自動着信モードに設定する（Ｓ１０７）。なお、この作業専用に自動着信モードにした携帯電話機１６を予め固定し続けておいてもよい。従って、Ｓ１０６及びＳ１０７はＳ１０２〜Ｓ１０５と前後してもよい。ここまでが事前準備ステップである。
【００２８】
次に、実態確認ステップへ移る。作業員はリストアップされた家屋の現場へ移動する（Ｓ１１１）。家屋内で引込線２５の端部を確認する（Ｓ１１２）。電話線の場合、電話台付近に露出していることが多いが、端部が発見できずに引込線２５の途中しか見あたらない場合は、一旦屋外に出て、屋外の電柱２６の近傍に設けられた接続端子函２７内部のケーブル心線と引込線との接続部を、引込線２５の端部として扱う。引込線２５の端部を確認できたら、作業員は携帯電話機１６へ発呼する（Ｓ１１３）。この際には別途持参した携帯電話機を用いるとよい。呼び出された携帯電話機１６は、自動着信によって作業員が手にする携帯電話との間での通話モードに切り替わる（Ｓ１１４）。これにより、社屋の端子盤３１前に設置された心線対照器１１周辺の音声が、作業員の手元の携帯電話に伝達される。なお、手にしたままでは作業しづらいため、作業員の手元の携帯電話ではハンズフリーとなるイヤホンなどを併用すると望ましい。その通話モードを続けた状態で、作業員は引込線２５の端部を短絡する（Ｓ１１５）。これで携帯電話機１６から作業員の携帯電話を通じてブザー音が確認できれば（Ｓ１１６→Ｙ）、その家屋の引込線２５は、リストアップし社屋内で予め接続した端子の一つに繋がっていることが確認できたことになる（Ｓ１１７）。一方、ブザー音が確認出来ない場合（Ｓ１１６→Ｎ）、その引込線２５は、少なくとも社屋内の予め接続した端子のどれにも繋がっていないというということになる（Ｓ１１８）。この場合、後日に端子盤３１と引込線２５との接続を記録したリストを見直し、確認する必要があることが確かめられたことになる。
【００２９】
以上で、その家屋における引込線２５の確認を作業員は一人で完了することができ、一旦携帯電話による通話を終了して次の現場へ向かう（Ｓ１１９）。以降はＳ１１１からの流れを繰り返す。
【符号の説明】
【００３０】
１  家屋
２  社屋
１１  心線対照器
１２ａ，１２ｂ  端子
１３  電源
１４  スピーカ
１５  携帯電話機固定部
１６  携帯電話機
１７  抵抗
１８  ダイオード
１９  電源ランプ
２０  電源ジャック
２１  ブザー孔
２５  引込線
２６  電柱
２７  接続端子函
３１  端子盤
３２  ケーブル
３３  端子盤端子
３５  携帯電話（作業員の）
【図１】
2020088886.tif 000003
【図２】
2020088886.tif 000004
【図３】
2020088886.tif 000005
【図４】
2020088886.tif 000006